【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
印刷装置であって、
印刷ジョブを受け付ける受付手段と、
複数の印刷ジョブを格納可能な記憶手段と、
前記記憶手段に記憶された印刷ジョブを実行する実行手段と、
印刷ジョブの実行中に所定の停止要因の発生に基づいて前記印刷ジョブを停止する停止手段と、
前記停止手段による前記印刷ジョブの停止時間を計測する計測手段と、
前記停止要因が取り除かれない状態で前記停止時間が所定の時間に達することによって、前記記憶手段に記憶された前記複数の印刷ジョブをキャンセルするキャンセル手段と、を有し、
前記キャンセル手段は、
前記複数の印刷ジョブのキャンセル後に前記停止要因が取り除かれない状態で、前記受付手段が受け付けた新たな印刷ジョブをキャンセルすることを特徴とする印刷装置。
【請求項２】
前記キャンセル手段は、前記複数の印刷ジョブのキャンセル後に前記停止要因が取り除かれない状態で、前記受付手段が受け付けた前記新たな印刷ジョブを自動的にキャンセルすることを特徴とする請求項１に記載の印刷装置。
【請求項３】
ユーザ操作を受け付ける操作手段を有し、
前記キャンセル手段は、前記複数の印刷ジョブがキャンセルされ且つ前記停止要因が取り除かれない状態で、前記受付手段が前記新たな印刷ジョブを前記操作手段がユーザの指示を受け付けることなくキャンセルすることを特徴とする請求項１または２に記載の印刷装置。
【請求項４】
前記所定の時間は、前記操作手段によって設定可能であることを特徴とする請求項３に記載の印刷装置。
【請求項５】
前記受付手段は、ネットワークを介して印刷ジョブを受け付けることを特徴とする請求項１乃至４のいずれか１項に記載の印刷装置。
【請求項６】
印刷ジョブをリストで管理する管理手段をさらに有し、
前記管理手段は、前記記憶手段に記憶された前記複数の印刷ジョブを前記リストに登録し、
前記キャンセル手段は、前記停止要因が取り除かれない状態で前記停止時間が所定の時間に達することによって、前記リストに登録された前記複数の印刷ジョブを前記管理手段に削除させることを特徴とする請求項１乃至５のいずれか１項に記載の印刷装置。
【請求項７】
印刷媒体に記録剤を用いて画像を印刷するプリンタをさらに有し、
前記停止要因は、前記プリンタにおける印刷媒体のジャムまたは記録剤不足であることを特徴とする請求項１乃至６のいずれか１項に記載の印刷装置。
【請求項８】
前記印刷媒体は用紙であり、前記記録剤はトナーであることを特徴とする請求項７に記載の印刷装置。
【請求項９】
前記停止要因が取り除かれない状態で前記停止時間が所定の時間に達することによって、前記記憶手段に記憶された前記複数の印刷ジョブをキャンセルするか否かを設定する設定手段をさらに有することを特徴とする請求項１乃至８のいずれか１項に記載の印刷装置。
【請求項１０】
前記複数の印刷ジョブは、前記印刷ジョブと前記印刷ジョブの実行後に実行される少なくとも１つの印刷ジョブであることを特徴とする請求項１乃至９のいずれか１項に記載の印刷装置。
【請求項１１】
印刷装置であって、
印刷ジョブを受け付ける受付手段と、
複数の印刷ジョブを格納可能な記憶手段と、
前記記憶手段に記憶された印刷ジョブを実行する実行手段と、
前記印刷ジョブが停止した状態で所定時間経過したことに基づいて、前記記憶手段に記憶された前記複数の印刷ジョブをキャンセルするキャンセル手段と、を有し、
前記キャンセル手段は、
前記複数の印刷ジョブのキャンセル後に前記印刷ジョブの停止要因が取り除かれない状態で、前記受付手段が受け付けた新しい印刷ジョブをキャンセルすることを特徴とする印刷装置。
【請求項１２】
前記キャンセル手段は、前記複数の印刷ジョブのキャンセル後に前記停止要因が取り除かれない状態で、前記受付手段が受け付けた新たな印刷ジョブを自動的にキャンセルすることを特徴とする請求項１１に記載の印刷装置。
【請求項１３】
ユーザ操作を受け付ける操作手段を有し、
前記キャンセル手段は、前記複数の印刷ジョブのキャンセル後に前記停止要因が取り除かれない状態で、前記受付手段が受け付けた前記新たな印刷ジョブを前記操作手段がユーザの指示を受け付けることなくキャンセルすることを特徴とする請求項１１または１２に記載の印刷装置。
【請求項１４】
前記所定の時間は、前記操作手段によって設定可能であることを特徴とする請求項１３に記載の印刷装置。
【請求項１５】
前記受信手段は、ネットワークを介して印刷ジョブを受信することを特徴とする請求項１１乃至１４のいずれか１項に記載の印刷装置。
【請求項１６】
印刷ジョブをリストで管理する管理手段をさらに有し、
前記管理手段は、前記記憶手段に記憶された前記複数の印刷ジョブを前記リストに登録し、
前記キャンセル手段は、前記停止要因が取り除かれない状態で前記停止時間が所定の時間に達することによって、前記リストに登録された前記複数の印刷ジョブを前記管理手段に削除させることを特徴とする請求項１１乃至１５のいずれか１項に記載の印刷装置。
【請求項１７】
印刷媒体に記録剤を用いて画像を印刷するプリンタをさらに有し、
前記停止要因は、前記プリンタにおける印刷媒体のジャムまたは記録剤不足であることを特徴とする請求項１１乃至１６のいずれか１項に記載の印刷装置。
【請求項１８】
前記印刷媒体は用紙であり、前記記録剤はトナーであることを特徴とする請求項１７に記載の印刷装置。
【請求項１９】
前記停止要因が取り除かれない状態で前記停止時間が所定の時間に達することによって、前記記憶手段に記憶された前記複数の印刷ジョブをキャンセルするか否かを設定する設定手段をさらに有することを特徴とする請求項１１乃至１８のいずれか１項に記載の印刷装置。
【請求項２０】
前記複数の印刷ジョブは、前記印刷ジョブと前記印刷ジョブの実行後に実行される少なくとも１つの印刷ジョブであることを特徴とする請求項１１乃至１９のいずれか１項に記載の印刷装置。
【請求項２１】
印刷ジョブを受け付ける受付手段と、複数の印刷ジョブを格納可能な記憶手段と、前記記憶手段に記憶された印刷ジョブを実行する実行手段と、印刷ジョブの実行中に所定の停止要因の発生に基づいて前記印刷ジョブを停止する停止手段と、前記停止手段による前記印刷ジョブの停止時間を計測する計測手段と、を有する印刷装置の制御方法であって、
前記停止要因が取り除かれない状態で前記停止時間が所定の時間に達することによって、前記記憶手段に記憶された前記複数の印刷ジョブをキャンセルするステップと、
前記複数の印刷ジョブのキャンセル後に前記停止要因が取り除かれない状態で、前記受付手段が受け付けた新たな印刷ジョブをキャンセルするステップと、を有することを特徴とする印刷装置の制御方法。
【請求項２２】
前記受付手段が受け付けた前記新たな印刷ジョブをキャンセルする際に、自動的にキャンセルすることを特徴とする請求項２１に記載の印刷装置の制御方法。
【請求項２３】
前記受付手段が受け付けた前記新たな印刷ジョブをキャンセルする際に、ユーザの指示を操作部で受け付けることなくキャンセルすることを特徴とする請求項２１または２２に記載の印刷装置の制御方法。
【請求項２４】
前記所定の時間は、前記操作部によって設定可能であることを特徴とする請求項２３に記載の印刷装置の制御方法。
【請求項２５】
前記受付手段は、ネットワークを介して印刷ジョブを受け付けることを特徴とする請求項２１乃至２４のいずれか１項に記載の印刷装置の制御方法。
【請求項２６】
前記記憶手段に記憶された複数の印刷ジョブをリストに登録するステップと、
前記停止要因が取り除かれない状態で前記停止時間が所定の時間に達することによって、前記リストに登録された前記複数の印刷ジョブを削除するステップを、有することを特徴とする請求項２１乃至２５のいずれか１項に記載の印刷装置の制御方法。
【請求項２７】
印刷媒体に記録剤を用いて画像を印刷するプリンタをさらに有し、
前記停止要因は、前記プリンタにおける印刷媒体のジャムまたは記録剤不足であることを特徴とする請求項２１乃至２６のいずれか１項に記載の印刷装置の制御方法。
【請求項２８】
前記印刷媒体は用紙であり、前記記録剤はトナーであることを特徴とする請求項２７に記載の印刷装置の制御方法。
【請求項２９】
前記停止要因が取り除かれない状態で前記停止時間が所定の時間に達することによって、前記記憶手段に記憶された前記複数の印刷ジョブをキャンセルするか否かを設定するステップをさらに有することを特徴とする請求項２１乃至２８のいずれか１項に記載の印刷装置の制御方法。
【請求項３０】
前記複数の印刷ジョブは、前記印刷ジョブと前記印刷ジョブの実行後に実行される少なくとも１つの印刷ジョブであることを特徴とする請求項２１乃至２９のいずれか１項に記載の印刷装置の制御方法。
【請求項３１】
印刷ジョブを受け付ける受付手段と、複数の印刷ジョブを格納可能な記憶手段と、前記記憶手段に記憶された印刷ジョブを実行する実行手段と、を有する印刷装置の制御方法であって、
前記印刷ジョブが停止した状態で所定時間経過したことに基づいて、前記記憶手段に記憶された前記複数の印刷ジョブをキャンセルするステップと、
前記複数の印刷ジョブのキャンセル後に前記印刷ジョブの停止要因が取り除かれない状態で、前記受付手段が受け付けた新たな印刷ジョブをキャンセルするステップと、を有することを特徴とする印刷装置の制御方法。
【請求項３２】
前記受付手段が受け付けた前記新たな印刷ジョブをキャンセルする際に、自動的にキャンセルすることを特徴とする請求項３１に記載の印刷装置の制御方法。
【請求項３３】
前記受付手段が受け付けた前記新たな印刷ジョブをキャンセルする際に、ユーザの指示を操作部で受け付けることなくキャンセルすることを特徴とする請求項３１または３２に記載の印刷装置の制御方法。
【請求項３４】
前記所定の時間は、前記操作手段によって設定可能であることを特徴とする請求項３３に記載の印刷装置の制御方法。
【請求項３５】
前記受付手段は、ネットワークを介して印刷ジョブを受信することを特徴とする請求項３１乃至３４のいずれか１項に記載の印刷装置の制御方法。
【請求項３６】
前記記憶手段に記憶された複数の印刷ジョブをリストに登録するステップと、
前記停止要因が取り除かれない状態で前記停止時間が所定の時間に達することによって、前記リストに登録された前記複数の印刷ジョブを削除するステップを、有することを特徴とする請求項３１乃至３５のいずれか１項に記載の印刷装置の制御方法。
【請求項３７】
印刷媒体に記録剤を用いて画像を印刷するプリンタをさらに有し、
前記停止要因は、前記プリンタにおける印刷媒体のジャムまたは記録剤不足であることを特徴とする請求項３１乃至３６のいずれか１項に記載の印刷装置の制御方法。
【請求項３８】
前記印刷媒体は用紙であり、前記記録剤はトナーであることを特徴とする請求項３７に記載の印刷装置の制御方法。
【請求項３９】
前記停止要因が取り除かれない状態で前記停止時間が所定の時間に達することによって、前記記憶手段に記憶された前記複数の印刷ジョブをキャンセルするか否かを設定する設定手段をさらに有することを特徴とする請求項３１乃至３８のいずれか１項に記載の印刷装置の制御方法。
【請求項４０】
前記複数の印刷ジョブは、前記印刷ジョブと前記印刷ジョブの実行後に実行される少なくとも１つの印刷ジョブであることを特徴とする請求項３１乃至３９のいずれか１項に記載の印刷装置の制御方法。